(57)【要約】自己水平化サイン懸吊装置（１０）は、吊天井の構造支持部剤から懸吊されたハウジング（１２）を有している。ケーブル（１４）は、巻上げリール（３０）においてハウジング内に貯蔵されている。ケーブルをリールに巻き付けるために、ばね（３４）は力をリールに加える。ケーブルは、ハウジングから出てハウジングへ戻り、ループを形成している。ループの底部には管状のブラケット（１８）が配置されており、このブラケットからサインが懸吊される。ケーブルは管状のブラケット内を自由に貫通しているので、管状のブラケットは水平に保たれる。リールに巻き付けられるケーブルの長さを制限するために、停止部材（７４）がケーブルに取り付けられており、これにより、懸吊されたサインの床かあらの高さを規定するようになっている。
2006508396.tif 000002
【特許請求の範囲】
【請求項１】
天井からサインを懸吊するためのサイン懸吊装置において、
ハウジングが設けられており、
該ハウジングを天井に取り付けるための手段が設けられており、
ハウジング内に貯蔵されたケーブルが設けられており、該ケーブルが、ハウジングから延出して該ハウジングへ戻っており、これによりループを形成しており、
延長したケーブルをハウジング内に引き込むためのケーブル引込手段がハウジングに取り付けられており、該ケーブル引込手段が、リールと、該リールに回転力を加えてリールを回転させケーブルをリールに巻き付けるためのばね手段とを有しており、
ケーブル引込手段がケーブルを引き込むのを所定の位置において停止させこれによりハウジングから延出するケーブルの長さとループのサイズとを決定するための停止手段がケーブルに設けられており、
サインを水平にするためのサイン懸吊ブラケットがケーブルにスライド可能に取り付けられており、
サインをサイン懸吊ブラケットから懸吊するための手段が設けられており、
この場合、ばね手段が、サイン及びサイン懸吊ブラケットの重量を克服するのに十分な回転力をリールに加え、停止手段がケーブルのさらなる引込を停止させるまでサインを天井に向かって持ち上げるようになっていることを特徴とする、天井からサインを懸吊するためのサイン懸吊装置。
【請求項２】
停止手段が、ケーブルに解放可能に取り付けられた可動な停止部材を含んでいる、請求項１記載のサイン懸吊装置。
【請求項３】
停止部材が、ハウジングに係合し、リールが回転するのを停止させる、請求項２記載のサイン懸吊装置。
【請求項４】
ケーブルが２つの端部を有しており、一方の端部がリールに結合されており、他方の端部がハウジングに結合されている、請求項１記載のサイン懸吊装置。
【請求項５】
ケーブルが、ハウジングから延出した２つのケーブルから成っており、これらの２つのケーブルのそれぞれが、リールに取り付けられた第１の端部を有しており、ケーブルのそれぞれが、互いに結合された第２の端部を有している、請求項１記載のサイン懸吊装置。
【請求項６】
サイン懸吊ブラケットが、中空のチューブから成っており、該チューブをケーブルがスライド可能に貫通している、請求項１記載のサイン懸吊装置。
【請求項７】
サインが懸吊される中空のチューブに取り付けられたフックが設けられている、請求項６記載のサイン懸吊装置。
【請求項８】
停止部材が、ケーブルが貫通したストッパと、ストッパをケーブルに取り付けたばね負荷されたボタンとを含んでいる、請求項３記載のサイン懸吊装置。
【請求項９】
種々異なるループサイズを表す所定の距離に停止部材を取り付けるために、ケーブルに沿って距離を表すしるしがケーブルに設けられている、請求項１記載のサイン懸吊装置。
【請求項１０】
天井からサインを懸吊するためのサイン懸吊システムにおいて、
ハウジングが設けられており、
該ハウジングを天井に取り付けるための手段が設けられており、
ハウジング内に貯蔵されたケーブルが設けられており、該ケーブルが、ハウジングから延出して該ハウジングへ戻っており、これによりループを形成しており、
延長したケーブルをハウジング内に引き込むためのケーブル引込手段がハウジングに取り付けられており、該ケーブル引込手段が、リールと、該リールに回転力を加えてリールを回転させケーブルをリールに巻き付けるためのばね手段とを有しており、
ケーブル引込手段がケーブルを引き込むのを所定の位置において停止させこれによりハウジングから延出するケーブルの長さとループのサイズとを決定するための停止手段がケーブルに設けられており、
サインを水平にするためのサイン懸吊ブラケットがケーブルにスライド可能に取り付けられており、
サインをサイン懸吊ブラケットから懸吊するための手段が設けられており、
リールに加えられるばねの回転力を克服することによってブラケットをハウジングから引き離すために、サイン懸吊ブラケットを掴むための掴み手段を備えたポールが設けられており、
サイン懸吊ブラケットが掴み手段から解放された場合に、停止手段がケーブルのさらなる引込を停止させるまでサインを持ち上げるために、ばね手段が、サイン及びサイン懸吊ブラケットの重量を克服するのに十分な回転力を、リールに加えることを特徴とする、天井からサインを懸吊するためのサイン懸吊システム。
【請求項１１】
停止手段が、ケーブルに開放可能に取り付けられた可動な停止部材を含む、請求項１０記載のサイン懸吊システム。
【請求項１２】
停止部材が、ハウジングに係合してリールが回転するのを停止させる、請求項１１記載のサイン懸吊システム。
【請求項１３】
ケーブルが２つの端部を有しており、一方の端部がリールに結合されており、他方の端部がハウジングに結合されている、請求項１０記載のサイン懸吊システム。
【請求項１４】
ケーブルが、ハウジングから延出した２つのケーブルから成っており、２つのケーブルのそれぞれが、リールに取り付けられた第１の端部を有しており、ケーブルのそれぞれが、互いに結合された第２の端部を有している、請求項１０記載のサイン懸吊システム。
【請求項１５】
サイン懸吊ブラケットが、中空のチューブを含んでおり、該チューブをケーブルがスライド可能に貫通している、請求項１０記載のサイン懸吊システム。
【請求項１６】
サインが懸吊される中空のチューブに取り付けられたフックが設けられている、請求項１５記載のサイン懸吊システム。
【請求項１７】
停止部材が、ケーブルが貫通するストッパと、ストッパをケーブルに取り付けるばね負荷されたボタンとを含んでいる、請求項１２記載のサイン懸吊システム。
【請求項１８】
種々異なるループサイズを表す所定の距離に停止部材を取り付けるために、ケーブルに沿った距離を表すしるしがケーブルに設けられている、請求項１０記載のサイン懸吊システム。
【請求項１９】
天井からサインを懸吊するための方法において、
天井支持部材に取り付けられたハウジングを提供し、
ハウジング内のリールにケーブルを貯蔵し、
ケーブルをハウジングから引き出しかつケーブルをハウジングへ戻し、これによりループを形成し、
延長したケーブルをハウジングへ引き戻すために、ハウジングに取り付けられたケーブル引込手段を提供し、該ケーブル引込手段が、リール及びばね手段を含んでおり、
ばね手段によって回転力を加え、リールを回転させ、ケーブルをリールに巻き付け、
ケーブル引込手段がケーブルを引き込むのを所定の位置において停止させるための停止手段をケーブルに取り付け、これにより、ハウジングから延出したケーブルの長さとループのサイズとを決定し、
サインを水平にするためのサイン懸吊ブラケットをケーブルにスライド可能に取り付け、サインをサイン懸吊ブラケットから懸吊し、
ばね手段が、サインとサイン懸吊ブラケットとの重量を克服するのに十分な回転力をリールに加え、停止手段がケーブルのさらなる引込を停止させるまでサインを天井に向かって持ち上げることを特徴とする、天井からサインを懸吊するための方法。
【発明の詳細な説明】
【技術分野】
【０００１】
本発明は、天井から懸吊されるサイン、ポスター又はバナーに関する。特に、本発明は、自己水平化する引込可能な懸吊機構に関する。
【背景技術】
【０００２】
サイン、広告材料又はその他の材料を吊天井から懸吊するための多くの懸吊装置が発明された。これは通常、吊天井を支持するクロスブレーシングに取り付けられた金属懸吊装置に、ストリング若しくはワイヤを取り付けることによって行われる。次いで、サインがストリングの他方の端部に取り付けられる。このプロセスは、サインを懸吊する人員が、サインが懸吊されるべき領域の下方にはしごを設置し、はしごを登り、吊天井に到達し、ストリングの一方の端部を天井ブレースに取り付けることを必要とする。第２のストリング若しくはワイヤが使用されるならば、このプロセスが繰り返されなければならない。ストリングの適当な長さが残され、他方の若しくは自由端部がサインに取り付けられる。このプロセスは第２のストリングのために繰り返される。新たなサインが懸吊されるたびに、ストリングは交換されてもされなくてもよいが、サインは取り外されなければならず、新たなサインが適当な高さにおいてストリングの自由端部に取り付けられなければならない。このことは、ストリングの正確な量がそれぞれのストリングのために天井から測定されなければならない、又はサインが水平にならない、という問題を有する。
【０００３】
また、人がいる通路にはしごを繰返し移動させる場合に安全性の問題が存在する。サインを懸吊するために使用される道具がはしごから落下して、買い物客や従業員を負傷させるおそれがある。サインを取り付ける場合に、取付け作業者がはしごから落下するおそれがある。取付け作業者がはしごを登らなければならない回数が多いほど、負傷の危険性も大きくなる。したがって、人員が床に立ったまま天井懸吊サインが交換されることができるならば、従来技術の大きな改良となる。
【０００４】
天井部材に取り付けられる様々なクリップが過去に設計された。１つの例は、Inskoに発行された米国特許第５０８２２２７号明細書に示されている。この明細書は、吊天井に取り付けられる懸吊装置及び道具を示している。この道具により、取付け作業者が床に立ったまま懸吊装置が天井支持部材に取り付けられることができる。しかし、この装置は、自己水平化機構は示しておらず、また、自己水平機構においてサインを取り付けるストリング又はケーブルも提供していない。
【０００５】
発明の概要
有利な実施形態において、本出願人の天井懸吊装置は、金属のばね負荷されたクリップによって逆Ｔ字形天井支持ビームに取り付けられる懸吊装置ハウジングを有している。ハウジング内にはばね負荷されたリールが設けられている。約２４フィートの１本の長いケーブルが、リールに取り付けられた一方の端部を有している。ケーブルはハウジングから出ており、ばね負荷されたストッパがケーブルに通されている。ケーブルは中空のサインチューブを貫通しており、第２のばね負荷されたストッパがケーブルに通されている。反対側のケーブル端部はリールに取り付けられている。ケーブルの両端部はリールに巻き付けられているので、ケーブルがリールから引き出されると、ばねは、ケーブルをリールに巻き付けようとする力を加える。サインは中空のチューブから懸吊される。ケーブルのそれぞれの端部は、１フィートおきに種々異なる色のマークが付けられており、これにより、ばね負荷されたストッパは、サインの懸吊高さを設定するために、ケーブルのそれぞれの端部における色つきマークに配置されることができる。ケーブルがリールに巻き戻されると、ばね負荷されたストッパが懸吊装置ハウジングに係合し、ケーブルがさらにリールに巻き付けられるのを妨害する。ケーブルはチューブを自由に貫通しているので、サインがチューブから懸吊されると、チューブとサインとの重量が、サインとチューブとを自己水平化させる。使用者は、成形されたポール頭部を有するポールを延長させ、ポール頭部は、使用者がサインを上昇させたいか下降させたいかに応じて、頭部の押付け側又は掴み側においてチューブに係合する。サインを交換するために、チューブが床に向かって引き寄せられ、ケーブルがリールから繰り出される。使用者はチューブを掴み、サイン及び／又はストッパを交換し、サインをポールによって軽く押す。サイン及びチューブの重量がケーブルから解放され、停止装置がストッパハウジングに衝突するまでケーブルは引き込まれる。このように、取付け作業者がはしごを登る必要なくサインを交換することができる。
【発明の開示】
【発明が解決しようとする課題】
【０００６】
自己水平化天井懸吊装置の課題は、サインが地面に対して自動的に自己水平化するように自己水平化機構を用いてサインを天井から懸吊するための懸吊装置を提供することである。別の課題は、吊天井支持部材に容易に取り付けられる天井懸吊装置を提供することである。
【０００７】
別の課題は、一旦懸吊装置ハウジングが天井支持体に取り付けられると、取付け作業者が床に立ったままサインを交換することを可能にする天井懸吊装置を提供することである。この課題に関連しているのは、ばね負荷されたリールによって天井懸吊装置ハウジングから引き出されたりこのハウジング内に引き込まれるケーブルを有する天井懸吊装置を提供するという課題である。このことの利点は、サインを交換するために、サインを引っ張ることによってサインが床へ下降させられることができるということである。
【０００８】
別の課題は、サインが床から選択された高さに取り付けられるように、リールから引き出されるケーブルの長さを正確に測定するためにケーブルに停止手段を有する天井懸吊装置を提供することである。
【０００９】
別の課題は、経済的に製造され、容易に操作される天井懸吊装置を提供することである。
【００１０】
本発明のこれらの課題及び利点並びにその他の課題及び利点は、有利な実施形態の図面及び詳細な説明の以下の説明が読まれた場合に当業者に明らかになるであろう。
【００１１】
本発明は、以下の図面の説明からより明らかに理解されるであろう。
【発明を実施するための最良の形態】
【００１２】
図１を参照すると、本発明の天井サイン懸吊装置１０が示されている。天井サイン懸吊装置１０は、吊天井に取り付けられるように設計されたハウジング１２を有している。それぞれ左端部及び右端部１５及び１６を有するケーブル１４は、ハウジング１２からサイン懸吊チューブ１８にまで延びている。理想的には、チューブ１８は中空であり、ケーブル１４はチューブ１８に通された左端部１５を有しており、右端部１６によってハウジング１２に戻っている。したがって、チューブ１８はケーブルに沿って自由にスライドする。サイン又はバナー２０はチューブ１８から懸吊されている。ケーブル１４と、左端部及び右端部１５及び１６は、ハウジング１２から延びたループを形成している。このループの寸法を変化させることによって、懸吊されるサイン２０の床からの距離を調節することができる。１つの位置において、サイン取付け者２２が地面に立っており、チューブ１８を掴んで、サイン２０を取り付けている。別の位置において、サイン取付け者２４は、チューブ１８とチューブから懸吊されたサイン２０とを地面に向かって引っ張るために、テレスコープ式ポール２６を使用している。有利には、ケーブル１４は１本のケーブルであるが、結合された２つの個々のケーブルから形成されていてもよい。利点は、この実施形態において、ケーブルは取り外されていてもよいということである。
【００１３】
図２に示したように、ハウジング１２のそれぞれの側に取り付けられた金属製のグロメット２８及び２９が設けられており、これらのグロメットにおいて、ケーブル端部１５及び１６がハウジング１２を貫通している。このことは、ケーブルがハウジング１２から引き出されたり引き込まれたりするときに、ケーブル端部１５及び１６における摩耗及び裂断を最小限にする。図３及び図４は、ハウジング１２内の内部作動部材を示している。シャフト３２を中心にして回転するように取り付けられたリール３０が設けられている。図４に示したように、左端部及び右端部１５及び１６がリール３０に取り付けられている。リールが矢印“Ａ”の方向に回転すると、ケーブル端部１５及び１６は同時にリール３０に巻き付く。ばねアセンブリ３４は、シャフトに結合された一方の端部を有しており、シャフト３２の周囲に巻き付けられている。ばねアセンブリ３４の他方の端部はリール３０に結合されている。ばねアセンブリ３４は、矢印“Ａ”の方向でリール３０に力を加える。リール３０に一方向で比較的一定の力が加えられるならば、その他の形式のばねアセンブリを使用することができる。ばねアセンブリ３４は、ケーブル１４から懸吊された約２ポンドの重さをゆっくりと持ち上げるような力を加えるべきである。より大きなサイン重量を懸吊使用とする場合、より強いばねが必要とされる。ばねアセンブリ３４及びリール３０は、延長されたテープを、距離を測定するために引き出された後にハウジング内に引き戻す、ばね負荷されたテープメジャーと同様に働く。
【００１４】
リール３０から、左端部１５は、アイドラローラ３８の周囲の金属スリーブ３６上を通過している。スリーブ３６は、ケーブルの摩耗を最小限に抑制するためにローラ３８に対して回動する。次いで、左端部１５は、金属グロメット２８を通って出る前に、スリーブ３６及びアイドラローラ３８と同様の別のアイドラローラ４０上を通過している。リール３０から、右端部１６は、アイドラローラ４４の周囲の金属スリーブ４２上を通過している。次いで、右端部１６は、グロメット２９を通ってハウジング１２から出る前に、スリーブ４２及びアイドラローラ４４と同様の、別のアイドラローラ４６上を通過している。
【００１５】
図５はハウジングの下面図である。図８及び図９により明らかに示された、１対の取付けクリップ４６及び４８が設けられている。クリップ４６及び４８の構成は、衣類用ピンと同じである。それぞれの取付けクリップはリンク５０，５２から形成されている。それぞれのリンクは、共通のシャフト５８に旋回可能に取り付けられたアーム部５４，５６を有している。リンクは、使用者の親指と人差し指によって掴まれるようになったレッグ６０及び６２において終わっている。シャフト５８の周囲にはばね６４が巻き付けられており、このばね６４は、レッグ６０及び６２に対して当て付けられた端部を有している。ばね６４は、レッグ６０及び６２を押し離すようにこれらのレッグに力を加えている。これにより、レッグ６０，６２とは反対側の頭部６６及び６８は、ばね６４によって加えられるばね力に比例した力で、互いに向かって押し付けられている。使用者が、ばね６４によって加えられているばね力を克服するようにレッグ６０，６２に圧縮力を加えると、図８に示したように頭部６６，６８は拡開させられる。
【００１６】
頭部６６，６８の断面はＣ字形である。頭部は、吊天井において一般的に使用されているような金属構造支持体６９を収容しかつこの金属構造支持体にロックするように設計されている。金属支持体が、拡開された頭部６６，６８の間に配置されると、使用者はレッグ６０，６２に対する押圧力を解放し、これによりばね６２が頭部６６，６８を通常の閉鎖位置へ戻し、金属支持体は頭部６６，６８のＣ字形の部分の間にロックされる。クリップ４６，４８は、このプロセスを逆に行い、クリップを支持体から解放するように頭部６６，６８を互いから離れるように拡開させることによって、取り外されかつ再位置決めされることができる。
【００１７】
左のケーブル端部及び右のケーブル端部１５及び１６は、所定の間隔で、印刷された又は塗料が塗布された帯又はカラーコーディング７０，７２でマークされている。これらのマークは、最も便利には、ハウジング１２又はケーブルの端部１５及び１６から測定して、１フィートの間隔で配置されている。１対のマーク７０，７２は、ケーブルの端部１５，１６からほぼ等しい距離に位置していることが望ましい。両端部１５，１６にはばね負荷されたストッパ７４が設けられている。ストッパ７４はケーブル１５及び１６をスライド可能に収容している。ストッパ７４を貫通した、ばね負荷されたストッパボタン７６が設けられている。ストッパボタン７６が押し込まれると、ストッパ７４がケーブル端部１５又は１６から解放され、これにより、ストッパは、ケーブル端部１５又は１６に沿ってスライドすることができ、ケーブル端部上で再位置決めされることができる。ストッパボタン７６が解放されると、ストッパ７４がケーブル１５又は１６に係合してロックされる。ストッパ７４は、両ストッパ７４が対応する距離バンド７０，７２上に配置されるようにケーブル端部１５及び１６上で配置される。ケーブル端部１５及び１６がハウジング１２内に引き戻されると、ストッパ７４はハウジング１２に衝突するか、又はハウジングからどれだけ離れているかに応じて、金属グロメット２８及び２９は、ハウジング１２内への及びリール３０へのケーブル端部１５及び１６のさらなる引込を停止させる。このことは、リール３０に巻き付けられるケーブルの量と、リール３０から延長しているケーブルの量とを制御する。ばね負荷されたストッパ７４が開示されているが、その他のストッパ手段、例えば設定ねじを備えたカラー、又は同様の形式で動作するその他の同様の装置を使用することができる。ばね負荷されたストッパの利点は、ストッパを、付加的な道具を必要とすることなく解放しかつケーブル１４に沿って再位置決めすることができるということである。
【００１８】
図１０に示したように、左ケーブル端部１５は、サイン懸吊チューブ１８を通されており、チューブ１８の、右のケーブル端部１６とは反対側の端部に存在する。チューブ１８は中空なので、右のケーブル端部及び左のケーブル端部１５及び１６は自由にチューブ１８内を滑ることができる。チューブ１８は、チューブ１８と一体的に成形された、逆Ｔ字形バー７８を有している。２つのＳ字フック８０を穴８１に引っ掛けることができ、これらのＳ字フックにサイン２０を取り付けることができる。択一的に、Ｔ字形バー７８は、オープンマーケットバナー懸吊システムと共に使用することができる。当業者に容易に明らかなその他の取付け手段を使用することもできる。
【００１９】
天井サイン懸吊装置１０を使用するためには、図１１に示したような道具８２を使用しなければならない。サイン懸吊装置１０の最初の据付は、ハウジング１２が吊天井金属支持体６９に取り付けられるように、はしご又はその他の踏み台を必要とする。サイン２０を懸吊しようとする位置において、取付けクリップ４６及び４８が支持体６９に組み付けられる。ハウジングが天井金属支持体６９に取り付けられると、もはやサイン２０を交換するためにはしごは必要とされない。再びはしごが必要とされる唯一の理由は、サインの位置が変更される場合である。サイン２０を取り付ける又は交換するためにチューブ１８を下ろすために、道具８２が使用される。道具８２は、テレスコープ式ポール２６の端部に頭部８４を有している。ポール２６は、頭部８４がチューブ１８を掴むまで延長させられる。図１に示したように使用者はチューブを引き下ろす。サイン２０がＳ字フック８０に取り付けられる。当業者に明らかなように、サイン２０を取り付けるためにその他のクリップ又は取付け手段を使用することもできる。天井からサインが懸吊される適切な高さが決定される。ストッパ７４が、左端部及び右端部１５及び１６に固定され、このことは、サイン２０が床上の適当な高さに懸吊されるようにケーブル端部１５及び１６がハウジング１２に引き込まれることを可能にする。左のケーブル端部及び右のケーブル端１５及び１６に沿って設けられた帯又はマーク７０，７２は、ストッパ７４を端部１５及び１６からほぼ同じ距離に配置するのを容易にする。これは、サイン２０を所望の高さに懸吊するためにストッパ７４を配置するためのおおよその位置を取付け者に教える。
【００２０】
取付け者２２は、ストッパ７４がハウジング１２に係合するまで道具８２を使用することによってサイン２０を上昇させる。道具８２はチューブ１８から取り外され、サインが適切な高さにあるかどうかが確認される。調節が必要であれば、プロセスが繰り返され、ストッパ７４が左端部及び右端部１５及び１６に沿って移動させられる。端部１５及び１６は自由にサイン懸吊チューブ１８内を通過しているので、サイン及びチューブの重量は、サイン２０を自動的に水平にするように働く。これが、左端部及び右端部１５及び１６におけるストッパ７４の位置がケーブル端部１５及び１６から正確に同じ距離になくてもよい理由である。サイン２０を水平にするのを助けるために、取付け者２２はチューブ１８をケーブル１４に沿ってスライドさせるだけである。道具又はさらなる調節は不要である。
【００２１】
図３Ａは、異なる作動機構を備えたハウジングアセンブリの択一的な実施形態を示している。ケーブル１４の左端部１５のみがリール３０に取り付けられている点を除いては、引込み機構は前の実施形態と実質的に同じである。ケーブル１４の右端部１６はハウジング１２におけるねじ８４に取り付けられている。左端部１５は、ケーブルがリール３０に引き込まれる時にケーブル１５に十分なブレーキを提供するように必要に応じて複数のアイドラローラ８６に引っ掛けられている。リール３０に巻き付けられるケーブル１４の量を制御するために、左ケーブル端部１５には１つのストッパ７４のみが取り付けられている。作動時には、ストッパ７４は所望の高さに設定され、左ケーブル端部１５がハウジング１２に引き込まれ、チューブ１８がケーブル１４に沿ってスライドし、ケーブル１４の底部に沿って自動的に水平になる。
【００２２】
前記のような課題及び利点を完全に満足する自己水平化天井サイン懸吊装置が提供された。発明は特定の実施形態に関して説明されているが、前記説明を考慮するとその他の択一例、修正及び変更が当業者に明らかになるであろう。したがって、添付の請求項の精神及び範囲に当てはまるような全てのこのような択一例、修正及び変更を包含するものである。
【図面の簡単な説明】
【００２３】
【図１】２つの位置における本発明の天井懸吊装置の正面図であり、一方の位置において使用者は床に立ってサインを取り付けており、他方の位置において使用者は、交換するためにサインを引き下ろしている。
【図２】天井懸吊装置のハウジングの正面図である。
【図３】天井懸吊装置のハウジングの正面図であり、カバーが取り外されて、内部部材を露出させている。
【図３Ａ】天井懸吊装置のハウジングの択一的な実施形態の正面図であり、カバーが取り外され、内部部材を露出させている。
【図４】ばね負荷された巻上げリールの内部構成を示す、一部が省略された正面図である。
【図５】天井懸吊装置のハウジングの下面図である。
【図６】天井懸吊装置のハウジングの上面図である。
【図７】天井懸吊装置のハウジングの端面図である。
【図８】天井懸吊装置のハウジングの端面図であり、一部が省略されて、開放位置におけるハウジング取付けクリップを示している。
【図９】天井懸吊装置のハウジングの端面図であり、一部が省略されて、閉鎖位置におけるハウジング取付けクリップを示している。
【図１０】サイン懸吊チューブ及びサイン懸吊ケーブルの斜視図であり、ケーブルの一部が省略されている。
【図１１】サイン懸吊チューブを昇降させるために使用される、成形された頭部を備えたポールの、一部が省略された正面図である。
【図１２】成形された頭部の、一部が省略された側面図である。
【符号の説明】
【００２４】
１０  天井サイン懸吊装置、  １２  ハウジング、  １５  左端部、  １６  右端部、  １８  チューブ、  ２０  サイン、  ２２，２４  サイン取付け者、  ２６  ポール、２８，２９  グロメット、  ３０  リール、  ３２  シャフト、  ３４  ばね、  ３６  スリーブ、  ３８，４０，４４  アイドラローラ、  ４２  スリーブ、  ４６，４８  クリップ、  ５０，５２  リンク、  ５４，５６  アーム部、  ５８  シャフト、  ６０，６２  レッグ、  ６４  ばね、  ６６，６８  頭部、  ６９  支持体、  ７０，７２  マーク、  ７４  ストッパ、  ７６  ストッパボタン、  ７８  逆Ｔ字形バー、  ８０  Ｓ字フック、  ８１  穴、  ８２  道具、  ８４  頭部
【図１】
2006508396.tif 000003
【図２】
2006508396.tif 000004
【図３】
2006508396.tif 000005
2006508396.tif 000006
【図４】
2006508396.tif 000007
【図５】
2006508396.tif 000008
【図６】
2006508396.tif 000009
【図７】
2006508396.tif 000010
【図８】
2006508396.tif 000011
【図９】
2006508396.tif 000012
【図１０】
2006508396.tif 000013
【図１１】
2006508396.tif 000014
【国際調査報告】
2006508396.tif 000015